(57)【特許請求の範囲】
【請求項１】
放送制御チャネルの所在するサブフレームに三つの周波数区画が含まれ各周波数区画内のリソースをロジックリソースユニットにマッピングするように、放送制御チャネルの所在するサブフレームの利用可能なサブキャリアを三つのサブキャリア集合に区分して、集合ごとを一つの周波数区画にマッピングする
ことを特徴とする放送制御チャネルのマッピング方法。
【請求項２】
Ｎ（１より大きい自然数）個のサブキャリアを単位として利用可能なサブキャリアを複数のサブブロックに区分して、各サブブロック内のサブキャリアに対して等間隔抽出を行い、三つのサブキャリア集合を形成する方法と、
置換シーケンスによって、利用可能なサブキャリアを三つのサブキャリア集合に区分する方法と
のいずれかにより、利用可能なサブキャリアを三つのサブキャリア集合に区分する
ことを特徴とする請求項１に記載の方法。
【請求項３】
サブブロック内に等間隔で抽出する時、初期サブキャリアとサブブロックの最初のサブキャリアの偏移はＭ（Ｍが非マイナス整数）個のサブキャリアであり、異なるサブブロック内の偏移は同一又は異なる
ことを特徴とする請求項２に記載の方法。
【請求項４】
利用可能なサブキャリアが等分されて、三つのサブキャリア集合に形成されることを特徴とする請求項１に記載の方法。
【請求項５】
前記三つのサブキャリ集合の区分方法とセカンダリ同期チャネルにおける三つのサブキャリア集合の区分方法とが異なる
ことを特徴とする請求項１または４に記載の方法。
【請求項６】
前記ロジックリソースユニットが分布式リソースユニットであり、
前記ロジックリソースユニットにマッピングすることは、
サブキャリア集合ごとについて、その中のサブキャリアを物理リソースユニットに区分して、物理リソースユニットに対して、マイクロストリップ置換とサブキャリア置換という操作の少なくとも一つを行い、前記ロジックリソースユニットを獲得すること、又は
サブキャリア集合ごとについて、その中のサブキャリアにサブキャリア置換をすることによって前記ロジックリソースユニットを獲得することを特徴とする請求項１乃至４のいずれかに記載した方法。
【請求項７】
前記ロジックリソースユニットが分布式リソースユニットと連続リソースユニットであり、
前記ロジックリソースユニットにマッピングすることは、
サブキャリア集合ごとについて、その中のサブキャリアを物理リソースユニットに区分して、物理リソースユニットに対してマイクロストリップ置換、連続リソースユニット／分布式リソースユニット配分、及びサブキャリア置換という操作の少なくとも一つを行い、前記ロジックリソースユニットを獲得する
ことを特徴とする請求項１乃至４のいずれかに記載の方法。
【請求項８】
ロジックリソースユニットにマッピングされた後、前記方法は、
周波数区画ごとについて、前記放送制御チャネルがその一番低い分布式リソースユニットインデックスから複数の分布式リソースユニットを占用することをさらに含み、
前記放送制御チャネルは、プライマリ放送制御チャネルとセカンダリ放送制御チャネルを含み、前記プライマリ放送制御チャネルが固定数量の分布式リソースユニットを占用して、前記セカンダリ放送制御チャネルの占用する分布式リソースユニットの数量が、前記プライマリ放送制御チャネルで指示される
ことを特徴とする請求項６または７に記載の方法。
【請求項９】
周波数区画ごとについて、前記放送制御チャネルに占用されたリソースユニット以外のリソースユニットが制御情報及び／又はデータの伝送に利用されるが、放送制御チャネルに占用されたリソースユニット以外のリソースユニットがデータの伝送だけに利用される場合に、制御情報が、放送制御チャネルの所在するサブフレームの前のサブフレームで伝送される
ことを特徴とする請求項８に記載の方法。
【請求項１０】
放送制御チャネルの所在するサブフレームに一つの周波数区画が含まれ、各周波数区画内のリソースをロジックリソースユニットにマッピングするように、放送制御チャネルの所在するサブフレームの利用可能なサブキャリアを一つのサブキャリア集合として、集合ごとを一つの周波数区画にマッピングする
ことを特徴とする放送制御チャネルのリソースマッチング方法。
【請求項１１】
前記ロジックリソースユニットが分布式リソースユニットであり、
前記ロジックリソースユニットにマッピングすることは、
サブキャリア集合におけるサブキャリアを物理リソースユニットに区分して、物理リソースユニットに対して、マイクロストリップ置換、サブキャリア置換という操作の少なくとも一つを行い、ロジックリソースユニットを獲得すること、又は
サブキャリア集合におけるサブキャリアに対して、サブキャリア置換を行って前記ロジックリソースユニットを獲得することを含む
ることを特徴とする請求項１０に記載の方法。
【請求項１２】
前記ロジックリソースユニットが分布式リソースユニットと連続リソースユニットであり、
前記ロジックリソースユニットにマッピングすることは、
前記サブキャリア集合におけるサブキャリアを物理リソースユニットに区分して、物理リソースユニットに対してマイクロストリップ、連続リソースユニット／分布式リソースユニット配分、及びサブキャリア置換という操作の少なくとも一つを行い、ロジックリソースユニットを獲得することを含む
ことを特徴とする請求項１０に記載の方法。
【請求項１３】
ロジックリソースユニットにマッピングされた後、前記方法は、
前記放送制御チャネルが、周波数区画における一番低い分布式リソースユニットインデックスから複数の分布式リソースユニットを占用することをさらに含み、
前記放送制御チャネルは、プライマリ放送制御チャネルとセカンダリ放送制御チャネルを含み、前記プライマリ放送制御チャネルが固定数量の分布式リソースユニットを占用して、前記セカンダリ放送制御チャネルの占用する分布式リソースユニットの数量が、前記プライマリ放送制御チャネルで指示される
ことを特徴とする請求項１１または１２に記載の方法。
【請求項１４】
前記放送制御チャネルに占用されたリソースユニット以外のリソースユニットが制御情報及び／又はデータの伝送に利用されるが、放送制御チャネルに占用されたリソースユニット以外のリソースユニットがデータの伝送だけに利用される場合に、制御情報が、放送制御チャネルの所在するサブフレームの前のサブフレームで伝送される
ことを特徴とする請求項１３に記載の方法。
【発明の詳細な説明】
【技術分野】
【０００１】
本発明は通信領域に係り、特に、放送制御チャネルのリソースマッピング方法に関する。
【背景技術】
【０００２】
無線通信システムにおいて、基地局と設備の間に、基地局からターミナルへのダウンリンク（前側）／ターミナルから基地局へのアップリンク（逆側）を介して通信を行う。通常の応用において、複数のターミナルはアップリンクを介して同時に基地局にデータを送信することができ、ダウンリンクを介して同時に基地局からデータを受信することもできる。
【０００３】
直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，ＯＦＤＭＡと略称）技術による無線通信システムにおいて、基地局によって無線資源のマッピングと区分を行い、ユーザーは、異なったサブキャリアを占用することによって多元接続を行うことができる。例えば、基地局からターミナルまでのダウン伝送の場合とターミナルから基地局までのアップ伝送の場合のそれぞれのシステム設定やリソース区分についての情報などは、基地局によって提示される。一般的に、システム設定やリソース区分の情報は制御チャネルから送信し、ターミナルが定められた制御チャネルでこれらの情報を受信し、データの送受信することで、基地局との通信を行う。
【０００４】
無線通信システムにおいて、主に同期チャネル（Ｓｙｎｃｈｒｏｎｉｚａｔｉｏｎ  Ｃｈａｎｎｅｌ，  ＳＣＨと略称）と放送制御チャネル（Ｂｒｏａｄｃａｓｔ  Ｃｏｎｔｒｏｌ  Ｃｈａｎｎｅｌ，  ＢＣＣＨと略称）を介してシステム情報を送信することである。同期チャネルと放送チャネルは「一対多ポイント」という片方制御チャネルであり、同期チャネルの主な機能は最初にアクセスする時の周波数、時間に関する校正を、ターミナルに提供することであり、それと同時にシステム情報も少し携帯する。放送制御チャネルの主な機能は、システム全体の制御構造、具体的にシステムリソースのマッピングと設定状況を提示する必要なシステム設定と制御情報を、基地局からターミナルに放送することである。したがって、ターミナルは、基地局にアクセスしてデータの伝送を行うために、同期チャネルと放送制御チャネルを正しくデコードし、必要なシステム設定と制御情報を取得しなければならない。しかし、ターミナルは、放送制御チャネルをデコードする前に、そのリソースのマッピング情報をまだ取得していないが、放送制御チャネルのデコードへの同期信号の補助的役割を確保するために、放送制御チャネルのリソースマッピングは同期チャネルのリソース構造も考えなければならない。
【０００５】
したがって、効果的な放送制御チャネルのリソースマッピング方法は必要となる。
【発明の概要】
【発明が解決しようとする課題】
【０００６】
本発明は、リソースのマッピング方法が必要となる従来技術に存在する問題に鑑みて提出するものであり、放送制御チャネルのリソースマッピングを実現するために、改良された放送制御チャネルのリソースマッピング方法を提供することを目的とする。
【課題を解決するための手段】
【０００７】
前記目的を実現するために、本発明の一形態により放送制御チャネルの所在するサブフレームに三つの周波数区画が含まれ、各周波数区画内のリソースをロジックリソースユニットにマッピングすることを特徴とする放送制御チャネルのマッピング方法を提供する。
【０００８】
放送制御チャネルの所在するサブフレームの利用可能なサブキャリアを三つのサブキャリア集合に区分して、集合ごとを一つの周波数区画にマッピングすることが好ましい。
【０００９】
該方法は、Ｎ（１より大きい自然数）個のサブキャリアを単位として利用可能なサブキャリアを複数のサブブロックに区分して、各サブブロック内のサブキャリアに対して等間隔で抽出して、三つのサブキャリア集合を形成する方法と、置換シーケンスによって、利用可能なサブキャリアを三つのサブキャリア集合に区分する方法とのいずれかにより、利用可能なサブキャリアを三つのサブキャリア集合に区分することが好ましい。
【００１０】
この方法は利用可能なサブキャリアが等分されて、三つのサブキャリア集合に形成されることが好ましい。
【００１１】
前記三つのサブキャリア集合の区分方法とセカンダリ同期チャネルにおける三つのサブキャリア集合の区分方法とが同じであることが好ましい。
【００１２】
前記三つのサブキャリア集合の区分方法とセカンダリ同期チャネルにおける三つのサブキャリア集合の区分方法とが違うことが好ましい。
【００１３】
前記ロジックリソースユニットが分布式リソースユニットであることが好ましい。前記ロジックリソースユニットにマッピングすることは、サブキャリア集合ごとについて、その中のサブキャリアを物理リソースユニットに区分して、物理リソースユニットに対して、マイクロストリップ置換とサブキャリア置換という操作の少なくとも一つを行い、前記ロジックリソースユニットを獲得すること、又は、サブキャリア集合ごとについて、その中のサブキャリアにサブキャリア置換をすることによって前記ロジックリソースユニットを獲得することが好ましい。
【００１４】
前記ロジックリソースユニットが分布式リソースユニットと連続リソースユニットであることが好ましい。前記ロジックリソースユニットにマッピングすることは、サブキャリア集合ごとについて、その中のサブキャリアを物理リソースユニットに区分して、物理リソースユニットに対してマイクロストリップ置換、連続リソースユニット／分布式リソースユニット配分、及びサブキャリア置換という操作の少なくとも一つを行い、前記ロジックリソースユニットを獲得することが好ましい。
【００１５】
ロジックリソースユニットにマッピングされた後、前記方法は、周波数区画ごとについて、前記放送制御チャネルがその一番低い分布式リソースユニットインデックスから複数の分布式リソースユニットを占用することをさらに含むことが好ましい。
【００１６】
周波数区画ごとについて、前記放送制御チャネルに占用されたリソースユニット以外のリソースユニットが制御情報及び／又はデータの伝送に利用されるが、放送制御チャネルに占用されたリソースユニット以外のリソースユニットがデータの伝送だけに利用される場合に、制御情報が、放送制御チャネルの所在するサブフレームの前のサブフレームで伝送されることが好ましい。
【００１７】
前記放送制御チャネルは、プライマリ放送制御チャネルとセカンダリ放送制御チャネルを含み、前記プライマリ放送制御チャネルが固定数量の分布式リソースユニットを占用して、前記セカンダリ放送制御チャネルの占用する分布式リソースユニットの数量が、前記プライマリ放送制御チャネルで指示されることが好ましい。
【００１８】
前記目的を実現するために、本発明の他の形態により、放送制御チャネルの所在するサブフレームに一つの周波数区画が含まれ、各周波数区画内のリソースをロジックリソースユニットにマッピングすることを特徴とする放送制御チャネルのリソースマッチング方法を提供する。
【００１９】
放送制御チャネルの所在するサブフレームの利用可能なサブキャリアを一つのサブキャリア集合として、集合ごとを一つの周波数区画にマッピングすることが好ましい。
【００２０】
前記ロジックリソースユニットが分布式リソースユニットであることが好ましい。前記ロジックリソースユニットにマッピングすることは、サブキャリア集合におけるサブキャリアを物理リソースユニットに区分して、物理リソースユニットに対して、マイクロストリップ置換、サブキャリア置換という操作の少なくとも一つを行い、ロジックリソースユニットを獲得すること、又は、サブキャリア集合におけるサブキャリアに対して、サブキャリア置換を行って前記ロジックリソースユニットを獲得することを含むことが好ましい。
【００２１】
前記ロジックリソースユニットが分布式リソースユニットと連続リソースユニットであることが好ましい。前記ロジックリソースユニットにマッピングすることは、前記サブキャリア集合におけるサブキャリアを物理リソースユニットに区分して、物理リソースユニットに対してマイクロストリップ、連続リソースユニット／分布式リソースユニット配分、及びサブキャリア置換という操作の少なくとも一つを行い、ロジックリソースユニットを獲得することを含むことが好ましい。
【００２２】
ロジックリソースユニットにマッピングされた後、前記方法は、前記放送制御チャネルが、周波数区画における一番低い分布式リソースユニットインデックスから複数の分布式リソースユニットを占用することをさらに含むことが好ましい。
【００２３】
前記放送制御チャネルに占用されたリソースユニット以外のリソースユニットが制御情報及び／又はデータの伝送に利用されるが、放送制御チャネルに占用されたリソースユニット以外のリソースユニットがデータの伝送だけに利用される場合に、制御情報が、放送制御チャネルの所在するサブフレームの前のサブフレームで伝送されることが好ましい。
【００２４】
前記放送制御チャネルは、プライマリ放送制御チャネルとセカンダリ放送制御チャネルを含み、前記プライマリ放送制御チャネルが固定数量の分布式リソースユニットを占用して、前記セカンダリ放送制御チャネルの占用する分布式リソースユニットの数量が、前記プライマリ放送制御チャネルで指示されることが好ましい。
【００２５】
本発明によると、放送制御チャネルのサブキャリア集合の区分を実現して、放送制御チャネルのリソースマッチングを実現することができる。
【００２６】
本発明の他の特徴及びメリットは、明細書における説明からさらに明確になり、又は本発明を実施することによって把握できる。本発明の目的及び他のメリットは、発明の詳細な説明、特許請求の範囲、及び、図面に特別に指摘された構造によって実現される。
【図面の簡単な説明】
【００２７】
ここで説明する図面は、本発明を理解させるためのものであり、本発明の一部を構成し、本発明における実施例と共に本発明を解釈するためのものであって、本発明を不当に限定するものではない。図面において、
【図１】関連技術に係わる無線通信システムの基本フレーム構造を示す図である。
【図２】関連技術に係わる無線通信システムの制御構造を示す図である。
【図３】本発明の実施例に係わるＯＦＤＭ／５ＭＨｚシステムによるサブキャリア集合の区分方法の実例１を示す図である。
【図４】本発明の実施例に係わるＯＦＤＭ／５ＭＨｚシステムによるサブキャリア集合の区分方法の実例２を示す図である。
【図５】本発明の実施例に係わる周波数再利用係数が３であり、ＯＦＤＭ／５ＭＨｚシステムによるリソースマッピング方法の実例３を示す図である。
【図６】本発明の実施例に係わる周波数再利用係数が３であり、ＯＦＤＭ／５ＭＨｚシステムによるリソースマッピング方法の実例４を示す図である。
【図７】本発明の実施例に係わる周波数再利用係数が３であり、ＯＦＤＭ／１０ＭＨｚシステムによるリソースマッピング方法の実例５を示す図である。
【図８】本発明の実施例に係わる周波数再利用係数が３であり、ＯＦＤＭ／１０ＭＨｚシステムによるリソースマッピング方法の実例６を示す図である。
【図９】本発明の実施例に係わる周波数再利用係数が１であり、ＯＦＤＭ／５ＭＨｚシステムによるリソースマッピング方法の実例７を示す図である。
【図１０】本発明の実施例に係わる周波数再利用係数が１であり、ＯＦＤＭ／５ＭＨｚシステムによるリソースマッピング方法の実例８を示す図である。
【図１１】本発明の実施例に係わる周波数再利用係数が１であり、ＯＦＤＭ／１０ＭＨｚシステムによるリソースマッピング方法の実例９を示す図である。
【図１２】本発明の実施例に係わる周波数再利用係数が１であり、ＯＦＤＭ／１０ＭＨｚシステムによるリソースマッピング方法の実例９を示す図である。
【発明を実施するための形態】
【００２８】
データチャネルに対して、同期チャネルと放送制御チャネルとは、伝送において高いカバー率と安定性が求められ、放送制御チャネルは、通常、低いコーディングレートで劣悪なチャネル減衰を対応する。例えば、１／２４のコーディングレートを採用することによってターミナルが劣悪のチャネル環境でも正確にデコードすることが確保された一方、無線リソースをたくさん消耗することになってしまうことがあるので、放送制御チャネルの設計には性能とリソースのバランスという問題がある。そして、同期チャネルと放送制御チャネルが占用するリソースの位置及び採用する伝送方法は普通に決まられているので、ターミナルが、システム情報を受信する前に、同期チャネルと放送制御チャネルを迅速にデコードできることを確保し、システム設計上の複雑度とターミナルのアクセスする遅延とを低減することもできる。前記要素のほかに、通信システムの制御チャネルのリソースマッピングはまた一部の周波数再利用（Ｆｒａｃｔｉｏｎａｌ  Ｆｒｅｑｕｅｎｃｙ  Ｒｅｕｓｅ，ＦＦＲと略称）と関わっている。特にＯＦＤＭＡによる通信システムにおいて、その無線リソースは時間領域符号と周波数領域サブキャリアからなる二次元時間・周波数リソースであり、そのリソースのマッピングが時間領域と周波数領域で行われるので、周波数再利用方法が複雑になる。総じて言えば、制御チャネルの設計、特に放送制御チャネルの設計は、干渉抑制とリソース能率などの核心要素においてバランスを取る必要がある。
【００２９】
本発明の実施例によると、リソースマッピングの関連技術を提供した。リソースマッピングとは、物理リソース（例えば物理サブキャリア）をロジックリソース（例えばロジックリソースユニット）にマッピングする過程及び方法であるが、放送制御チャネルのリソースマッピングとは、放送制御チャネルの所在するサブフレームの中の無線リソース（例えば占用するＯＦＤＭ符号）のマッピングということである。本発明の実施例において、放送制御チャネルの所在するサブフレームにＭ（Ｍは３或いは１である）個の周波数区画が含まれ、各周波数区画内のリソースを、ロジックリソースユニットにマッピングする。周波数区画については、放送制御チャネルの所在するサブフレームの利用可能なサブキャリアを三つのサブキャリア集合を区分して、各サブキャリア集合を一つの周波数区画にマッピングすることが好ましい。
【００３０】
以下、図面と実施例を参照しながら、本発明を詳しく説明する。特に説明するのは、互いに矛盾しない限り、本案における実施例及び実施例における特徴を相互に組み合わせてもよい。
【００３１】
図１に示すように、無線リソースが、時間領域においてスーパーフレーム（Ｓｕｐｅｒｆｒａｍｅ  ２０ｍｓ）に区分られ、一つのスーパーフレームにフレーム（ｆｒａｍｅ）が４個含まれて、一つのフレームにサブフレーム（ｓｕｂｆｒａｍｅ）が８個含まれ、サブフレームが６つの基本的なＯＦＤＭ符号からなり、通信システムが、実際にサポートが必要とされるターミナルの速度、レート及び業務タイプなどの要素によって、フレーム構造における各グランドにＯＦＤＭを、いくら含まれているかを決定する。図２の示すように、同期チャネルが、フレームごとの最初の一つのＯＦＤＭ符号にあり、そしてプライマリ同期とセカンダリ同期の階層型同期チャネル構造を採用して、スーパーフレームのヘッダーが、セカンダリ同期の後にある。下記の実施例は、ＯＦＤＭＡ技術の無線通信システムのフレーム構造と制御構造を基にすることができる。
【００３２】
下記の実施例では、制御チャネルの場合に、放送制御チャネル（Ｂｒｏａｄｃａｓｔ  Ｃｏｎｔｒｏｌ  Ｃｈａｎｎｅｌ，ＢＣＣＨと略称）は放送チャネル（Ｂｒｏａｄｃａｓｔ  Ｃｈａｎｎｅｌ，ＢＣＨと略称）と略称することができる。また、放送制御チャネルが、一般的に、スーパーフレームのヘッダーまたはスーパーフレームの一番目のサブフレームで伝送されるので、放送制御チャネルは、スーパーフレームヘッダー（Ｓｕｐｅｒ  ｆｒａｍｅ  Ｈｅａｄｅｒ，ＳＦＨと略称）とも呼ばれ、プライマリ放送制御チャネルはプライマリスーパーフレームヘッダー（Ｐｒｉｍａｒｙ  Ｓｕｐｅｒ  ｆｒａｍｅ  Ｈｅａｄｅｒ，Ｐ‐ＳＦＨと略称）と呼ばれて、セカンダリ放送制御チャネルはセカンダリスーパーフレームヘッダー（Ｓｅｃｏｎｄａｒｙ  Ｓｕｐｅｒ  ｆｒａｍｅ  Ｈｅａｄｅｒ，  Ｓ−ＳＦＨと略称）とも呼ばれている。後述の利用可能なサブキャリアとは、保護サブキャリアと直流キャリア以外のサブキャリアである。そして、利用可能なサブキャリアは物理的のものである。
【００３３】
下記の実施例に記述されたＯＦＤＭＡ／５ＭＨｚシステムは、高速フーリエ変換（ＦＦＴ）の点数が５１２であり、保護サブキャリアとＤＣキャリアを除き、利用可能なサブキャリアが４３２個である。ＯＦＤＭＡ／１０ＭＨｚシステムについて、ＭＨｚシステムのＦＦＴ点数が１０２４であり、保護キャブキャリアとＤＣキャリアを除き、利用可能なサブキャリア数が８６４個である。
【００３４】
サブキャリア集合の形成について
実施例一
該実施例において、ＳＦＨの周波数再利用係数は３であり、即ちＳＦＨの所在するサブフレームの利用可能なサブキャリアを、三つのサブキャリア集合（Ｓｕｂｃａｒｒｉｅｒ  Ｓｅｔ）に区分される。集合の区分される方法として、少なくとも（１）等間隔抽出：複数のサブキャリアを単位として、利用可能なサブキャリアを複数のサブブロックに分け、各サブブロックにおけるサブキャリアに対して等間隔で抽出して、三つのサブキャリア集合を形成して、サブブロック内に等間隔抽出をするとき、初期サブキャリアとサブブロックにおける一番目のサブキャリアとの偏移はＭ（Ｍは非マイナス整数）個のサブキャリアであり、異なるサブブロックの偏移は同じだったり違ったりすることが好ましい；（２）特定の置換シーケンスによって、サブキャリアを三つのサブキャリア集合に区分られる；（３）利用可能なサブキャリアを三つのサブキャリア集合に区分する、という方法がる。上記のサブキャリア集合の区分方法は、セカンダリ同期チャネルの三つのサブキャリア集合の区分方法と同じだったり違ったりすることができる。例えば、方法（３）によって形成されたサブキャリア集合は、セカンダリ同期チャネルの三つのサブキャリア集合と違っているのである。
【００３５】
実例１
図３はＯＦＤＭＡ／５ＭＨｚシステムにおいて、ＳＦＨの所在するサブフレームのサブキャリア集合の区分方法を示す図である。図３の示すように、５４個のサブキャリアを単位として、４３２個の物理サブキャリアを８つのサブブロックに区分して、８つのサブブロック内のサブキャリアは、それぞれ｛０，  ２，  １，  ０，  １，  ０，  ２，  １｝のサブキャリアを偏移量として等間隔で抽出して、三つのサブキャリア集合になる。
【００３６】
具体的に、図３の示すように、サブキャリア抽出によって獲得した三つの集合はそれぞれ下記の通りである。
【００３７】
ＳｕｂｃａｒｒｉｅｒＳｅｔ０＝｛４０    ４３    ４６    ４９    ５２    ５５    ５８    ６１    ６４    ６７    ７０    ７３    ７６    ７９    ８２    ８５    ８８    ９１    ９６    ９９    １０２    １０５    １０８    １１１    １１４    １１７    １２０    １２３    １２６    １２９    １３２    １３５    １３８    １４１    １４４    １４７    １４９    １５２    １５５    １５８    １６１    １６４    １６７    １７０    １７３    １７６    １７９    １８２    １８５    １８８    １９１    １９４    １９７    ２００    ２０２    ２０５    ２０８    ２１１    ２１４    ２１７    ２２０    ２２３    ２２６    ２２９    ２３２    ２３５    ２３８    ２４１    ２４４    ２４７    ２５０    ２５３    ２５８    ２６１    ２６４    ２６７    ２７０    ２７３    ２７６    ２７９    ２８２    ２８５    ２８８    ２９１    ２９４    ２９７    ３００    ３０３    ３０６    ３０９    ３１１    ３１４    ３１７    ３２０    ３２３    ３２６    ３２９    ３３２    ３３５    ３３８    ３４１    ３４４    ３４７    ３５０    ３５３    ３５６    ３５９    ３６２    ３６７    ３７０    ３７３    ３７６    ３７９    ３８２    ３８５    ３８８    ３９１    ３９４    ３９７    ４００    ４０３    ４０６    ４０９    ４１２    ４１５    ４１８    ４２０    ４２３    ４２６    ４２９    ４３２    ４３５    ４３８    ４４１    ４４４    ４４７    ４５０    ４５３    ４５６    ４５９    ４６２    ４６５    ４６８    ４７１｝，
ＳｕｂｃａｒｒｉｅｒＳｅｔ１＝｛４１    ４４    ４７    ５０    ５３    ５６    ５９    ６２    ６５    ６８    ７１    ７４    ７７    ８０    ８３    ８６    ８９    ９２    ９４    ９７    １００    １０３    １０６    １０９    １１２    １１５    １１８    １２１    １２４    １２７    １３０    １３３    １３６    １３９    １４２    １４５    １５０    １５３    １５６    １５９    １６２    １６５    １６８    １７１    １７４    １７７    １８０    １８３    １８６    １８９    １９２    １９５    １９８    ２０１    ２０３    ２０６    ２０９    ２１２    ２１５    ２１８    ２２１    ２２４    ２２７    ２３０    ２３３    ２３６    ２３９    ２４２    ２４５    ２４８    ２５１    ２５４    ２５９    ２６２    ２６５    ２６８    ２７１    ２７４    ２７７    ２８０    ２８３    ２８６    ２８９    ２９２    ２９５    ２９８    ３０１    ３０４    ３０７    ３１０    ３１２    ３１５    ３１８    ３２１    ３２４    ３２７    ３３０    ３３３    ３３６    ３３９    ３４２    ３４５    ３４８    ３５１    ３５４    ３５７    ３６０    ３６３    ３６５    ３６８    ３７１    ３７４    ３７７    ３８０    ３８３    ３８６    ３８９    ３９２    ３９５    ３９８    ４０１    ４０４    ４０７    ４１０    ４１３    ４１６    ４２１    ４２４    ４２７    ４３０    ４３３    ４３６    ４３９    ４４２    ４４５    ４４８    ４５１    ４５４    ４５７    ４６０    ４６３    ４６６    ４６９    ４７２｝，
ＳｕｂｃａｒｒｉｅｒＳｅｔ２＝｛４２    ４５    ４８    ５１    ５４    ５７    ６０    ６３    ６６    ６９    ７２    ７５    ７８    ８１    ８４    ８７    ９０    ９３    ９５    ９８    １０１    １０４    １０７    １１０    １１３    １１６    １１９    １２２    １２５    １２８    １３１    １３４    １３７    １４０    １４３    １４６    １４８    １５１    １５４    １５７    １６０    １６３    １６６    １６９    １７２    １７５    １７８    １８１    １８４    １８７    １９０    １９３    １９６    １９９    ２０４    ２０７    ２１０    ２１３    ２１６    ２１９    ２２２    ２２５    ２２８    ２３１    ２３４    ２３７    ２４０    ２４３    ２４６    ２４９    ２５２    ２５５    ２５７    ２６０    ２６３    ２６６    ２６９    ２７２    ２７５    ２７８    ２８１    ２８４    ２８７    ２９０    ２９３    ２９６    ２９９    ３０２    ３０５    ３０８    ３１３    ３１６    ３１９    ３２２    ３２５    ３２８    ３３１    ３３４    ３３７    ３４０    ３４３    ３４６    ３４９    ３５２    ３５５    ３５８    ３６１    ３６４    ３６６    ３６９    ３７２    ３７５    ３７８    ３８１    ３８４    ３８７    ３９０    ３９３    ３９６    ３９９    ４０２    ４０５    ４０８    ４１１    ４１４    ４１７    ４１９    ４２２    ４２５    ４２８    ４３１    ４３４    ４３７    ４４０    ４４３    ４４６    ４４９    ４５２    ４５５    ４５８    ４６１    ４６４    ４６７    ４７０｝。
【００３８】
これによって、１０ＭＨｚシステムにおいて、５４個のサブキャリアを単位として、８６４個の利用可能な物理サブキャリアを１６個のサブブロックに区分されて、１６個のサブブロック中のサブキャリアは、それぞれ｛１，  ０，  ２，  １，  ０，  ２，  １，  ０，  １，  ０，  ２，  １，０，  ２，  １，０｝個のサブキャリアを偏移量として等間隔抽出されて、三つのサブキャリア集合になる。
【００３９】
実例２
図４の示すように、本実例において、｛４０，４１，４２，．．．１８１，１８２，１８３｝、｛１８４，１８５，１８６，．．．，２５５，２５７，．．．，３２７，３２８｝、｛３２９，３３０，３３１，．．．，４７０，４７１，４７２｝の三つの集合に、利用可能なサブキャリアが等分される。その中、インデックスが２５６であるサブキャリアは、ＤＣサブキャリアであるので、上記の集合にないである。
【００４０】
１０ＭＨｚシステムについても、利用可能なサブキャリアが三つの集合に等分される。例えば、｛８０，８１，８２，．．．，３６５，３６６，３６７｝、｛３６８，３６９，．．．，５１１，５１３，５１４，．．．，６５５，６５６｝、｛６５７，６５８，６５９，．．．，９４２，９４３，９４４｝の三つの集合に、利用可能なサブキャリアが等分されることもできる。その中、インデックスが５１２であるサブキャリアは、ＤＣサブキャリアであるので、上記集合にないである。
【００４１】
また、上述のように、前記各実例における等間隔抽出と等分の方法の他に、サブキャリア集合を形成する時に、特定置換シーケンスによって、利用可能なサブキャリアが三つのサブキャリア集合に区分されることもできる。
【００４２】
前記実例１と実例２において、システム設計の複雑度を低減してターミナルアクセスの遅延を減少することができるように、ＳＦＨの所在するサブフレームが区分された三つのサブキャリア集合とセカンダリ同期チャネルにおける三つのサブキャリア集合とは同じであることが好ましい。もちろん、ＳＦＨの所在するサブフレームが区分された三つのサブキャリア集合が、セカンダリ同期チャネルにおける三つのサブキャリア集合と同じではない場合にも、本発明の実施には影響しないことである。
【００４３】
実施例二
該実施例において、ＳＦＨの周波数再利用係数は１であり、即ちＳＦＨの所在するサブフレームの利用可能なサブキャリア全体を、一つのサブキャリアとして集合することである。
【００４４】
前記実施例一と前記実施例二によって、サブキャリア集合の区分が実現されたので、その後のリソースマッピングにベースを提供した。
【００４５】
特別に説明しなければならないことは、実施例一と実施例二の中に、一つの符号を例として、ＳＦＨの所在するサブフレームのサブキャリアでの区分方法を説明した。もしＳＦＨサブフレームが占用する符号数が５であると、全体の利用可能なサブキャリアが５つの符号上の利用可能なサブキャリアであるが、三つのサブキャリア集合は、各符号がそれぞれ実施例一または実施例二にての方法により、サブキャリア集合の区分を行われ、さらにＳＦＨの所在するサブフレームのすべての符号におけるサブキャリアによって形成されたサブキャリア集合を、物理リソースユニットに区分する。
【００４６】
リソースマッピングについて
本発明の実施例によると、前記サブキャリア集合の形成操作によって獲得されたサブキャリア集合を、周波数区画にマッピングし、具体的には、サブキャリア集合ごとが一つの周波数区画にマッピング（対応）した後、各周波数区画におけるサブキャリアを、全てにロジックリソースユニットにマッピングする放送制御チャネルのリソースマッピング方法をさらに提供した。そして、すべてに分布式リソースユニット（Ｄｉｓｔｒｉｂｕｔｅｄ  Ｒｅｓｏｕｒｃｅ  Ｕｎｉｔ，ＤＲＵと略称）にマッピングすることが好ましい。オブション方案として、一部或いは全部の周波数区画におけるサブキャリアを、分布式リソースユニットと連続リソースユニットにマッピングすることも、本発明を実現することができる。
【００４７】
ロジックリソースユニットにマッピングする時に、（１）各サブキャリア集合に対して、その中のサブキャリアを物理リソースユニットに区分して、物理リソースユニットに対して、マイクロストリップ置換とサブキャリア置換という操作の少なくとも一つを行い、ロジックリソースユニットを獲得する、（２）各サブキャリア集合について、その中のサブキャリアをサブキャリア置換して、ロジックリソースユニットを獲得する；（３）それぞれのサブキャリア集合に対して、そのサブキャリアを物理リソースユニットに区分して、物理リソースユニットに対してマイクロストリップ置換、連続リロースユニット／分布式リソースユニット配分、サブキャリア置換という操作の少なくとも一つを行い、ロジックリソースユニットを獲得する、といった操作のいずれかによって実現することが好ましい。
【００４８】
以下はそれぞれ実施例と結合して、本発明実施例に係わる放送制御チャネルのリソースマッピング方法を説明する。
【００４９】
実例３
図３のおけるサブキャリア集合の区分方法に基づき、図５はＯＦＤＭＡ／５ＭＨｚシステムにおけるリソースマッピング過程を示した。
【００５０】
上述のように、図３において、実例１の方法により、利用可能なサブキャリアをＳｕｂ  ｃａｒｒｉｅｒ  Ｓｅｔ０，Ｓｕｂ  ｃａｒｒｉｅｒ  Ｓｅｔ１，Ｓｕｂ  ｃａｒｒｉｅｒ  Ｓｅｔ２という三つのサブキャリア集合に区分られる。次に、図５の示すように、各サブキャリア集合の中のサブキャリアを、物理リソースユニットと同じ大きさのリソースユニットにマッピングし、即ち物理リソースユニットにマッピングする。物理リソースユニットが時間領域で占用する符号数量は即ちＳＦＨの時間領域で占用する符号数量である。そして、物理リソースユニットに対してマイクロストリップ置換されて、さらに各サブキャリア集合でマッピングされたリソースユニットが一つの周波数区画になり、Ｆｒｅｑｕｅｎｃｙ  Ｐａｒｔｉｔｉｏｎ  ０，Ｆｒｅｑｕｅｎｃｙ  Ｐａｒｔｉｔｉｏｎ  １，Ｆｒｅｑｕｅｎｃｙ  Ｐａｒｔｉｔｉｏｎ  ２という三つの周波数区画を獲得する。続いて、各周波数区画内のリソースユニットに対してサブキャリア置換されて、ロジックリソースユニット（Ｌｏｇｉｃａｌ  Ｒｅｓｏｕｒｃｅ  Ｕｎｉｔ，  ＬＲＵと略称）、具体的に、分布式リソースユニットを獲得できる。
【００５１】
物理リソースユニットにマイクロストリップ置換をする前に、サブストリイプの区分もできることが好ましい。
【００５２】
図５に示す過程により、三つのサブキャリア集合は、最終的に周波数再利用係数は３であり、各周波数区画ごとにＳＦＨ（プライマリＳＦＨとセカンダリＳＦＨを含む）を送信する三つの周波数区画になっている。
【００５３】
以上をまとめると、図５のリソースマッピングは、サブキャリア集合−−物理リソースユニットにマッピング−−マイクロストリップ置換−−サブキャリア置換−−ロジックリソースユニット（分布式リソースユニット）により実現されるものである。
【００５４】
実例４
システム設計を簡単にし、ターミナルのデコードを加速するために、ＳＦＨのリソースマッピングは簡略化した設計を採用することができる。図３のサブキャリア集合の区分方法に基づき、図６においてＯＦＤＭＡ／５ＭＨｚシステムにおけるもう一つのリソースマッピング方法を示した。
【００５５】
図５と比べて、図６が示したリソースマッピングにおいて、マイクロストリップ置換の必要がない。即ち、図３が示す方法により、サブキャリアを三つのサブキャリア集合に区分して、各サブキャリア集合の中のサブキャリアを物理リソースユニットにマッピングして、さらに各サブキャリア集合の中のマッピングされたリソースユニットを周波数区画に形成し、各周波数区画内のリソースユニットにサブキャリア置換して、分布式リソースユニットを獲得する。
【００５６】
以上をまとめると、図６のリソースマッピングは、サブキャリア集合−−物理リソースユニットにマッピング−−サブキャリア置換−−ロジックリソースユニット（分布式リソースユニット）により実現されるものである。
【００５７】
実例５
図３の示したようなサブキャリア集合の区分方法に基づき、図７ではＯＦＤＭＡ／１０ＭＨｚシステムにおいて、周波数再利用係数が３である場合のＳＦＨリソースマッピング過程を示した。
【００５８】
図７の示すように、サブキャリア集合に対する区分操作によって獲得した三つのサブキャリア集合に対して、その中のサブキャリアを物理リソースユニットにマッピングしてから、マイクロストリップ置換を行い、さらに各サブキャリア集合の中のマッピングされたリソースユニットを一つの周波数区画に形成し、Ｆｒｅｑｕｅｎｃｙ  Ｐａｒｔｉｔｉｏｎ  ０，Ｆｒｅｑｕｅｎｃｙ  Ｐａｒｔｉｔｉｏｎ  １，Ｆｒｅｑｕｅｎｃｙ  Ｐａｒｔｉｔｉｏｎ  ２といった三つの周波数区画を獲得した後、各周波数区画のリソースユニットに対してサブキャリア置換を行い、具体的に分布式リソースユニットであるロジックリソースユニットを獲得する。この過程は、図５が示した過程と類似するので、類似処理について繰り返して説明しないようにする。
【００５９】
実例６
図８は、ＯＦＤＭＡ／１０ＭＨｚシステムにおいて、周波数再利用係数が３である場合のＳＦＨのもう一つのリソースマッピング過程を示した。
【００６０】
図７と比べて、図８が示したリソースマッピングにおいて、マイクロストリップ置換の必要がない。即ち、図５が示した方法により、利用可能なサブキャリが三つのサブキャリア集合に区分されて、各サブキャリア集合の中のサブキャリアを物理リソースユニットにマッピングして、さらに各サブキャリア集合の中のマッピングされたリソースユニットを一つの周波数区画に形成して、各周波数区画内のリソースユニットに対してサブキャリア置換を行い、分布式リソースユニットを獲得する。
【００６１】
前記説明した実例３から実例６までは、周波数再利用係数が３である場合のリソースマッピング方法に対するものである。前記方法を介して、利用可能なサブキャリアが三つのサブキャリア集合に区分された後、一連の処理によって、物理リソースユニットをロジックリソースユニットにマッピングして、リソースマッピングを実現したものである。次に、周波数再利用係数が１である場合のリソースマッピング方法を説明するようになる。そのリソースマッピング方法において、物理リソースユニットに対してサブストリップ区分、マイクロストリップ置換、サブキャリア置換という操作をそのいずれかまたは組み合わせて行い、分布式リソースユニットにマッピングする。
【００６２】
実例７
図９は、ＯＦＤＭＡ／５ＭＨｚシステムにおいて、周波数再利用係数が１である場合のＳＦＨのリソースマッピング方法を示した。
【００６３】
前記方法により実施例二に記述されたサブキャリア区分方法において、５ＭＨｚシステムの４３２個の利用可能なサブキャリアを一つのサブキャリア集合に形成して、利用可能な物理サブキャリアを物理リソースユニットに区分して、さらにマイクロストリップ置換を行い、マイクロストリップ置換されたリソースユニットを一つの周波数区画に形成して、周波数区画内のリソースユニットに対してサブキャリア置換を行い、分布式リソースユニットを獲得する。
【００６４】
図９が示すように、ＳＦＨが周波数区画の一番低い分布式リソースユニットのインデックスから一つ或いは複数の分布式リソースユニットを占用して、残りの分布式リソースユニットが制御情報とデータの伝送に用いる。
【００６５】
実例８
好ましくは、システムの設計を簡単にし、ターミナルのデコードを加速するために、ＳＦＨのリソースマッピングは簡略化された過程を採用することができる。図１０はＯＦＤＭＡ／５ＭＨｚシステムにおいて、周波数再利用係数が１である場合のＳＦＨのもう一つのリソースマッピング方法を示した。
【００６６】
図９と比べて、図１０で示した過程は、マイクロストリップ置換の必要がない。図１０が示すように、具体的に、利用可能なサブキャリアを一つのサブキャリア集合に区分した後、サブキャリア集合におけるサブキャリアを物理リソースユニットに区分して、さらにサブキャリア集合の中のマッピングされたリソースユニットを一つの周波数区画に形成して、周波数区画内のリソースユニットに対してサブキャリア置換を行い、分布式リソースユニットを獲得する。
【００６７】
実例９
上記実例７及び実例８と類似で、図１１と図１２は、ＯＦＤＭＡ／１０ＭＨｚシステムにおいて、周波数再利用係数が１である場合のＳＦＨの二種類のリソースマッピング方法を示した。具体的の実施方法は、上記実例７と実例８を参照することができるので、ここでは繰り返して説明しないようにする。
【００６８】
本発明が提供した前記実施例によると、放送制御チャネル（ＳＦＨ）のリソースマッピングを実現したものである。放送制御チャネルのリソースマッピングを実現してから、ＳＦＨが各周波数区画の一番低い分布式リソースユニットインデックスから一つ或いは複数の分布式リソースユニットを占用し、残りの分布式リソースユニットが制御情報及び／又はデータの伝送に利用されることが好ましい。残りのリソースユニットがデータ伝送だけに利用される場合に、制御情報が、ＳＦＨの所在するサブフレームの前のサブフォームで伝送される。
【００６９】
上述のように、ＳＦＨは、固定の数量の分布式リソースユニットを占用するプライマリＳＦＨと、プライマリＳＦＨが指示された数量の分布式リソースユニットを占用するセカンダリＳＦＨを含む。
【００７０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005658242.tif 000002
【図２】
0005658242.tif 000003
【図３】
0005658242.tif 000004
【図４】
0005658242.tif 000005
【図５】
0005658242.tif 000006
【図６】
0005658242.tif 000007
【図７】
0005658242.tif 000008
【図８】
0005658242.tif 000009
【図９】
0005658242.tif 000010
【図１０】
0005658242.tif 000011
【図１１】
0005658242.tif 000012
【図１２】
0005658242.tif 000013